(57)【要約】【目的】    より幅広いタイプの壁面に対応することができるとともに、低コストで模様替えが可能で、かつ壁面に照明器具等の突起物があっても対応することができるタペストリー構成シート、タペストリー構成シート用連結部材及びタペストリーを提供する。【構成】  タペストリー構成シート１００は、矩形状のシート状部材１１０の上下両端に連結管１２０を挿入する管挿入部１１１が設けられている。タペストリー構成シート用連結部材２００Ａ等は、タペストリー構成シート１００を連結する連結部材であって、前記連結管１２０に挿入可能な挿入部２２０Ａが設けられている。前記タペストリー構成シート１００と、前記タペストリー構成シート用連結部材２００Ａ等とを備えており、前記タペストリー構成シート用連結部材２００Ａ等で前記タペストリー構成シート１００同士を連結してタペストリーをとなす。【選択図】      図１
2006141718.tif 000002
【特許請求の範囲】
【請求項１】
矩形状のシート状部材の上下両端の少なくとも一方に連結管を挿入する管挿入部が設けられていることを特徴とするタペストリー構成シート。
【請求項２】
請求項１記載のタペストリー構成シートを連結する連結部材であって、前記挿入管に挿入可能な挿入部が設けられたことを特徴とするタペストリー構成シート用連結部材。
【請求項３】
請求項１記載のタペストリー構成シートと、請求項２記載のタペストリー構成シート用連結部材とを具備しており、前記タペストリー構成シート用連結部材で前記タペストリー構成シート同士を連結したことを特徴とするタペストリー。
【請求項４】
請求項１記載のタペストリー構成シートと、紐体とを具備しており、前記紐体をタペストリー構成シートの連結管に挿通して結ぶことでタペストリー構成シート同士を連結したことを特徴とするタペストリー。
【発明の詳細な説明】
【技術分野】
【０００１】
本発明は、住宅、店舗、ビル等の内装に使用されるインテリア装飾部材、一般的にはタペストリーと称される壁掛け部材、このタペストリーを構成するタペストリー構成シート及びこのタペストリー構成シートを連結してタペストリーとするタペストリー構成シート用連結部材に関する。
【背景技術】
【０００２】
住宅、店舗、ビル等における壁面は、木質系のウォール部材や、壁下地材に壁紙を貼り付けたり、塗装したりする方法が採用されている。リフォーム等で壁面を変更する場合には、ウォール部材や壁紙を貼り替えたり、いままでの壁素材の上に塗装したり、広幅の布地材や額縁等で壁面の装飾を行う等の方法が採用されている。
【０００３】
特に、布地材等で壁面を覆って装飾する場合には、短冊状の染色された布地材を吊り下げるか、複数枚の矩形状の布地材を縫製して１枚のタペストリーとして構成し、それを吊り下げる方法等が一般的に採用されている。これらについては、非特許文献１〜３を参照のこと。
【０００４】
また、１枚の布地材、或いは複数枚の布地材を吊り下げるのに、１本の布地材吊り下げ用の棒を布地材に設けられた棒挿通部に挿通させ、横方向への連結で変化を享受することができるタペストリーとして特許文献１に記載されたものがある。
【０００５】
【特許文献１】特開平０６−２５３９６９
【非特許文献１】成美堂出版発行  ２００４年１０月１０日第１３版発行    「インテリアを素敵にする７０のテクニック」第２１頁
【非特許文献２】成美堂出版発行  ２００４年１０月１０日第１３版発行    「インテリアを素敵にする７０のテクニック」第１３１頁
【非特許文献３】成美堂出版発行  ２００４年１０月１０日第１３版発行    「インテリアを素敵にする７０のテクニック」第１３４頁
【発明の開示】
【発明が解決しようとする課題】
【０００６】
しかしながら、上述した従来のタペストリー等では、自由設計の住宅等では間取りや部屋の形態が多様化していることに伴い、壁面の幅寸法や高さ寸法も画一的なものではなくなっているため、個々の壁面のサイズや形状に合わせたものを準備しなければならなかった。
【０００７】
また、季節の移り変わりや嗜好の変化に応じてタペストリーを変える場合には、タペストリー全体を取り替えなければならず、高コストになりがちであった。
【０００８】
さらに、壁面には照明器具、壁掛け時計、額縁等が設置されるため、タペストリーはこれらを避けて吊り下げなければならないので、設置場所がこれらのない壁面に限定されるという問題もあった。
【０００９】
本発明は、上記事情に鑑みて創案されたもので、より幅広いタイプの壁面に対応することができるとともに、低コストで模様替えが可能で、かつ壁面に照明器具等の突起物があっても対応することができるタペストリー構成シート、タペストリー構成シート用連結部材及びタペストリーを提供することを目的とする。
【課題を解決するための手段】
【００１０】
本発明に係るタペストリー構成シートは、矩形状のシート状部材の上下両端の少なくとも一方に連結管を挿入する管挿入部が設けられている。
【００１１】
また、本発明に係るタペストリー構成シート用連結部材は、前記タペストリー構成シートを連結する連結部材であって、前記連結管に挿入可能な挿入部が設けられている。
【００１２】
さらに、本発明に係るタペストリーは、前記タペストリー構成シートと、前記タペストリー構成シート用連結部材とを備えており、前記タペストリー構成シート用連結部材で前記タペストリー構成シート同士を連結する。
【００１３】
さらに、本発明に係る他のタペストリーは、前記タペストリー構成シートと、紐体とを備えており、前記紐体をタペストリー構成シートの連結管に挿入することでタペストリー構成シート同士を連結する。
【発明の効果】
【００１４】
本発明に係るタペストリーは、タペストリー構成シートとタペストリー構成シート用連結部材とから構成されるので、あらゆるタイプの壁面に対応できるとともに、容易にその構成（組み合わせ）を変更することができる。このため、より幅広い需要者の好みに対応することができる。
【００１５】
壁面に照明器具等の突起物があっても、その部分に対応する位置にタペストリー構成シートを設けなければよいので、照明器具等の配置に対応することが可能である。
【発明を実施するための最良の形態】
【００１６】
図１は本発明の実施の形態に係るタペストリーの概略的正面図、図２は本発明の実施の形態に係る他のパターンのタペストリーの概略的正面図、図３は本発明の実施の形態に係るさらに他のパターンのタペストリーの概略的正面図、図４は本発明の実施の形態に係るタペストリー構成シートの概略的正面図、図５は本発明の実施の形態に係るタペストリー構成シートの概略的側面図、図６は本発明の実施の形態に係る第１のパターンのタペストリー構成シート用連結部材を説明する概略的一部破断正面図、図７は本発明の実施の形態に係る第２のパターンのタペストリー構成シート用連結部材を説明する概略的一部破断正面図、図８は本発明の実施の形態に係る第３のパターンのタペストリー構成シート用連結部材を説明する概略的一部破断正面図、図９は本発明の実施の形態に係る第４のパターンのタペストリー構成シート用連結部材を説明する概略的一部破断正面図、図１０は本発明の実施の形態に係る第５のパターンのタペストリー構成シート用連結部材を説明する概略的一部破断平面図、図１１は本発明の実施の形態に係る第５のパターンのタペストリー構成シート用連結部材を説明する概略的一部破断背面図である。
【００１７】
また、図１２は本発明の実施の形態に係る他のタペストリー構成シートを示す概略的正面図、図１３は本発明の実施の形態に係る他のタペストリー構成シート用連結部材を示す概略的正面図、図１４は本発明の実施の形態に係るさらに他のタペストリー構成シート用連結部材を示す概略的正面図である。
【００１８】
本発明の実施の形態に係るタペストリーは、複数のタペストリー構成シート１００と、複数のタペストリー構成シート用連結部材２００Ａ等とを有している。
【００１９】
例えば、図１に示すように、６枚のタペストリー構成シート１００を１２個のタペストリー構成シート用連結部材２００Ａ等で連結し、２段３列のタペストリーとすることが可能である。また、図２に示すように、８枚のタペストリー構成シート１００を１５個のタペストリー構成シート用連結部材２００Ａ等で連結し、最上段は４列、中段は３列、最下段は１列のタペストリーとすることも可能である。さらに、図３に示すように、８枚のタペストリー構成シート１００を１４個のタペストリー構成シート用連結部材２００Ａ等で連結し、中心が抜けた３段３列のタペストリーとすることも可能である。
【００２０】
まず、このようなタペストリーを構成するタペストリー構成シート１００について、図４及び図５を参照しつつ説明する。
このタペストリー構成シート１００は、１枚の矩形状のシート状部材１１０と、２つの円筒形状の連結管１２０とを有している。シート状部材１１０は、染色或いはプリント印刷や刺繍等で模様が施された１枚の布地材から構成される。この布地材の上下両端部は、折り返して縫製されることにより、筒状に構成されている。この部分が前記連結管１２０が挿入される管挿入部１１１となるのである。また、この管挿入部１１１は、連結管１２０がほぼぴったりと挿入される程度の大きさに設定されている。さらに、管挿入部１１１に挿入された連結管１２０は不用意に抜けないように鋲１３０でシート状部材１１０に固定されている。
【００２１】
なお、タペストリー構成シート１００を構成するシート状部材１１０の素材は、布地材に限定されることはなく、紙素材、薄い合成樹脂素材や金属箔素材等のシート状のものであればよいことはいうまでもない。
【００２２】
また、このタペストリー構成シート１００は、図１２に示すように、色紙等を取り付けるための取付部１１２をシート状部材１１０に設けることも可能である。この取付部１１２は、色紙等の四隅が入り込むようにゴム等の伸縮性を有する素材からなる紐をシート状部材１１０に取り付けることで構成する。
【００２３】
また、前記連結管１２０は、タペストリー構成シート１００の幅寸法より若干長い長さに設定されている。従って、この連結管１２０をタペストリー構成シート１００の管挿入部１１１に挿入すると、連結管１２０の両端は、前記管挿入部１１１から若干突出するようになっている。この連結管１２０は、例えば、合成樹脂や紙等から構成される。なお、この連結管１２０は中空であることはいうまでもない。また、連結管１２０の長さは、タペストリー構成シート１００の幅寸法と同等に設定してもよいことはいうまでもない。
【００２４】
一方、上述したタペストリー構成シート１００を連結するタペストリー構成シート用連結部材には複数のパターンが存在する。
まず、図６に示す第１のパターンのタペストリー構成シート用連結部材２００Ａである。この第１のパターンのタペストリー構成シート用連結部材２００Ａは、２枚のタペストリー構成シート１００を横方向に連結する場合に使用される。
【００２５】
この第１のパターンのタペストリー構成シート用連結部材２００Ａは、例えば、合成樹脂から構成されており、前記連結管１２０の外径と同じサイズの薄いフランジ部２１０Ａと、このフランジ部２１０Ａの同軸上で両側にそれぞれ突出した挿入部２２０Ａとが一体に形成されている。前記挿入部２２０Ａは、連結管１２０の内径に圧入可能な外径に設定されている。
【００２６】
このように構成された第１のパターンのタペストリー構成シート用連結部材２００Ａは、図６に示すように、右側に位置するタペストリー構成シート１００の連結管１２０の左端部には右側の挿入部２２０Ａが、左側に位置するタペストリー構成シート１００の連結管１２０の右端部には左側の挿入部２２０Ａがそれぞれ圧入されることによって、タペストリー構成シート１００を横方向に連結するのである。なお、このタペストリー構成シート用連結部材２００Ａの挿入部２２０Ａは、両タペストリー構成シート１００の連結管１２０の端部が前記フランジ部２１０Ａに接するまで挿入されるので、挿入深さは常に一定になる。
【００２７】
図７に示す第２のパターンのタペストリー構成シート用連結部材２００Ｂは、２枚のタペストリー構成シート１００を縦方向に連結する場合に使用される。
【００２８】
この第２のパターンのタペストリー構成シート用連結部材２００Ｂも、例えば合成樹脂から構成されており、薄いフランジ部２１０Ｂと、このフランジ部２１０Ｂから同方向に平行に突出した２つの挿入部２２０Ｂとが一体に形成されている。前記挿入部２２０Ｂは、連結管１２０の内径に圧入可能な外径に設定されている。なお、このタペストリー構成シート用連結部材２００Ｂは、２つの連結管１２０を縦方向に並べた状態で接続するものであるから、前記フランジ部２１０Ｂは略小判状に形成されている。
【００２９】
このように構成された第２のパターンのタペストリー構成シート用連結部材２００Ｂは、図７に示すように、上側に位置するタペストリー構成シート１００の連結管１２０の左端部には上側の挿入部２２０Ｂが、下側に位置するタペストリー構成シート１００の連結管１２０の左端部には下側の挿入部２２０Ｂがそれぞれ圧入されることによって、タペストリー構成シート１００を縦方向に連結するのである。このタペストリー構成シート用連結部材２００Ｂの挿入部２２０Ｂは、両タペストリー構成シート１００の連結管１２０の端部が前記フランジ部２１０Ｂに接するまで挿入されるので、挿入深さは常に一定になる。
【００３０】
図８に示す第３のパターンのタペストリー構成シート用連結部材２００Ｃは、３枚のタペストリー構成シート１００をＬ字型に連結する場合に使用される。
【００３１】
この第３のパターンのタペストリー構成シート用連結部材２００Ｃも、例えば合成樹脂から構成されており、薄い略小判状のフランジ部２１０Ｃと、このフランジ部２１０Ｃの両側に同軸上に突出した挿入部２２０Ｃと、一方の挿入部２２０Ｃに平行に同方向に突出された挿入部２３０Ｃとが一体に形成されている。すなわち、この第３のパターンのタペストリー構成シート用連結部材２００Ｃにおいては、挿入部は３つ存在するのである。なお、前記３つの挿入部２２０Ｃ、２２０Ｃ、２３０Ｃは、連結管１２０の内径に圧入可能な外径に設定されている。
【００３２】
このように構成された第３のパターンのタペストリー構成シート用連結部材２００Ｃは、図８に示すように、同軸上に設けられた２つの挿入部２２０Ｃ、２２０Ｃは２枚のタペストリー構成シート１００の横方向に連結し、下側に設けられた挿入部２３０Ｃは前記２枚のタペストリー構成シート１００の一方の下側に１枚のタペストリー構成シート１００を縦方向に連結する。
【００３３】
また、この第３のパターンのタペストリー構成シート用連結部材２００Ｃは、その方向を上下左右に変更することによって、３枚のタペストリー構成シート１００の連結の仕方、すなわちＬ字型、左右逆Ｌ字型、上下逆Ｌ字型、上下左右逆Ｌ字型のいずれにも連結することができるものである。
【００３４】
図９に示す第４のパターンのタペストリー構成シート用連結部材２００Ｄは、４枚のタペストリー構成シート１００を田の字形状に連結する場合に使用される。
【００３５】
この第４のパターンのタペストリー構成シート用連結部材２００Ｄも、例えば合成樹脂から構成されており、薄い略小判状のフランジ部２１０Ｄと、このフランジ部２１０Ｄの両側に同軸上に突出した２組の合計４つの挿入部２２０Ｄ、２２０Ｄ、２３０Ｄ、２３０Ｄとが一体に形成されている。なお、前記４つの挿入部２２０Ｄ、２２０Ｄ、２３０Ｄ、２３０Ｄは、それぞれ連結管１２０の内径に圧入可能な外径に設定されている。
【００３６】
このように構成された第４のパターンのタペストリー構成シート用連結部材２００Ｄは、図９に示すように、同軸上に設けられた１組２つの挿入部２２０Ｄ、２２０Ｄ、挿入部２３０Ｄ、２３０Ｄはそれぞれ２枚のタペストリー構成シート１００の横方向に連結するので、４枚のタペストリー構成シート１００を田の字形状に連結する。
【００３７】
図１０及び図１１に示す第５のパターンのタペストリー構成シート用連結部材２００Ｅは、上述した第１〜第４のパターンのタペストリー構成シート用連結部材２００Ａ〜２００Ｄとは異なり、タペストリー構成シート１００を壁面Ｗに固定するためのものである。
【００３８】
この第５のパターンのタペストリー構成シート用連結部材２００Ｅは、連結管１２０に挿入される挿入部２２０Ｅと、この挿入部２２０Ｅに連設されたアングル部２４０Ｅとを有している。前記アングル部２４０Ｅは、前記挿入部２２０Ｅの基端側に連設されるフランジ部２４１Ｅと、このフランジ部２４１Ｅと直行する方向、すなわち挿入部２２０Ｅと平行になる固定片２４２Ｅとを有している。前記固定片２４２Ｅには、複数（図面では３つ）のねじ孔２４３Ｅが開設されている。タペストリーを構成するタペストリー構成シート１００のうち、最も上側でかつ外側のタペストリー構成シート１００の連結管１２０の外側端部に前記挿入部２２０Ｅを挿入し、固定片２４２Ｅを適宜な手段で壁面Ｗに固定することによって、タペストリーを壁面Ｗに取り付けるのである。なお、固定片２４２Ｅはねじの他に接着剤、両面接着テープで壁面Ｗに固定することが可能である。
【００３９】
上述した実施の形態では、各タペストリー構成シート１００は、タペストリー構成シート用連結部材２００Ａ等で連結したが、図１３に示すように、連結管１２０に紐体３００を挿通し、その紐体３００を結ぶことで連結するようにすることも可能である。この場合には、最上段のタペストリー構成シート１００の一部である連結管１２０にも紐体３００を挿通し、この紐体３００を用いてタペストリーを吊り下げるようにすることも可能である。なお、図１３においては、タペストリー構成シート１００同士を連結する紐体３００は、弛んだ状態で描かれているが、実際にはこのように弛んだ状態ではなく、ぴったりと張られた状態でタペストリー構成シート１００同士を連結するものであることはいうまでもない。
【００４０】
また、タペストリー構成シート用連結部材としては、上述したものに限定されることなく、図１４に示すような単なる管部材２００Ｆであってもよい。ただし、この場合には、タペストリー構成シート用連結部材２００Ａ等におけるフランジ部２１０Ａに相当するものがないので、管部材が連結管１２０の内部に完全に入り込まないように注意することが重要である。
【００４１】
さらに、上述した実施の形態では、タペストリー構成シート１００の上下両端部に連結管１２０が設けられるとしたが、最下段に位置するタペストリー構成シートであれば、上側のみに連結管１２０を設けるようなしてもかまわない。
【図面の簡単な説明】
【００４２】
【図１】本発明の実施の形態に係るタペストリーの概略的正面図である。
【図２】本発明の実施の形態に係る他のパターンのタペストリーの概略的正面図である。
【図３】本発明の実施の形態に係るさらに他のパターンのタペストリーの概略的正面図である。
【図４】本発明の実施の形態に係るタペストリー構成シートの概略的正面図である。
【図５】本発明の実施の形態に係るタペストリー構成シートの概略的側面図である。
【図６】本発明の実施の形態に係る第１のパターンのタペストリー構成シート用連結部材を説明する概略的一部破断正面図である。
【図７】本発明の実施の形態に係る第２のパターンのタペストリー構成シート用連結部材を説明する概略的一部破断正面図である。
【図８】本発明の実施の形態に係る第３のパターンのタペストリー構成シート用連結部材を説明する概略的一部破断正面図である。
【図９】本発明の実施の形態に係る第４のパターンのタペストリー構成シート用連結部材を説明する概略的一部破断正面図である。
【図１０】本発明の実施の形態に係る第５のパターンのタペストリー構成シート用連結部材を説明する概略的一部破断平面図である。
【図１１】本発明の実施の形態に係る第５のパターンのタペストリー構成シート用連結部材を説明する概略的一部破断背面図である。
【図１２】本発明の実施の形態に係る他のタペストリー構成シートを示す概略的正面図である。
【図１３】本発明の実施の形態に係る他のタペストリー構成シート用連結部材を示す概略的正面図である。
【図１４】本発明の実施の形態に係るさらに他のタペストリー構成シート用連結部材を示す概略的正面図である。
【符号の説明】
【００４３】
１００    タペストリー構成シート
２００Ａ  タペストリー構成シート用連結部材
【図１】
2006141718.tif 000003
【図２】
2006141718.tif 000004
【図３】
2006141718.tif 000005
【図４】
2006141718.tif 000006
【図５】
2006141718.tif 000007
【図６】
2006141718.tif 000008
【図７】
2006141718.tif 000009
【図８】
2006141718.tif 000010
【図９】
2006141718.tif 000011
【図１０】
2006141718.tif 000012
【図１１】
2006141718.tif 000013
【図１２】
2006141718.tif 000014
【図１３】
2006141718.tif 000015
【図１４】
2006141718.tif 000016